(57)【要約】【課題】鞄の左右各側に別体で設けられた持ち手がワンタッチで合体し、鞄の開口部を左右に開く強い力が作用した場合でも、持ち手が分離しないようにロックすることができる鞄用持ち手を提供する。【解決手段】第１のハンドル４の凹溝１５ａに摺動自在に嵌合された移動片１４の一端がバネ１９で凹溝１５ａの長手方向に付勢されると共に、移動片の他端に形成されたボタン１７が第１のハンドル４の端部からバネ１９の付勢力に抗して押し込み自在に突出され、第１のハンドル４の移動片の面内に爪２３を有する穴部２２が形成される一方、第２のハンドル５の内側板１２ｂに溝付き凸部３２が設けられ、穴部の爪が溝付き凸部の溝に係止されることによって第１のハンドル４と第２のハンドル５との結合状態が維持され、移動片のボタンをバネの付勢力に抗して押し込むことによって穴部２２の爪２３が溝付き凸部３２の溝３３に係止された状態から解除される。【選択図】図７
2008142117.tif 000002
【特許請求の範囲】
【請求項１】
鞄の開口部の左右各側に別体で設けられた横長形状の第１のハンドルと第２のハンドルにおける各ハンドルの両側にて脚部が形成され、夫々の脚部の下端が鞄の左右各側に固設可能であると共に、前記第１のハンドルの内側面に設けられた内側板の凸部を前記第２のハンドルの内側面に設けられた内側板の嵌合穴に嵌合することによって左右別体の各ハンドルが位置合わせされた状態で合体され、前記第１のハンドルの内側に横長に形成された凹溝に移動片が摺動自在に嵌合され、該移動片の一端がバネで前記凹溝の長手方向に付勢されると共に、前記移動片の他端に形成されたボタンが前記第１のハンドルの端部から前記バネの付勢力に抗して押し込み自在に突出され、さらに前記第１のハンドルの移動片の面内に爪を有する穴部が形成されると共に、前記第２のハンドルの内側板に溝付き凸部が設けられ、前記穴部の爪が前記溝付き凸部の溝に係止されることによって前記第１のハンドルと前記第２のハンドルとの結合状態が維持される一方、前記移動片のボタンをバネの付勢力に抗して押し込むことによって前記穴部の爪が前記溝付き凸部の溝に係止された状態から解除されるようにしたことを特徴とする鞄用持ち手。
【請求項２】
前記第１のハンドルの内側板に設けられた凸部を前記第２のハンドルの内側板に設けられた嵌合穴に嵌合した際の前記第１のハンドルの凸部を外方へ弾発するバネが前記第２のハンドルの内部に設けられたことを特徴とする請求項１記載の鞄用持ち手。
【請求項３】
前記脚部の下端に帯状の連結部材を挿着することができる挿通穴が形成されたことを特徴とする請求項１又は２記載の鞄用持ち手。
【発明の詳細な説明】
【技術分野】
【０００１】
本発明は、鞄の開口部の左右各側に別体で設けられた持ち手を合体し、着脱自在に結合するようにした鞄用持ち手に関する。
【背景技術】
【０００２】
従来から、鞄の開口部の左右各側に別体で設けられた持ち手を結合し得るように構成した鞄用持ち手が知られている。この鞄用持ち手に関連する従来例として、特許文献１に記載された「鞄用把手」について説明すると、その構造は、鞄の左右各側に設けられる持ち手と連結部材からなり、各持ち手はそれぞれの左右両側に設けられる連結部材の一端部に一定範囲で回動可能に取り付けられ、また連結部材の他端部は鞄に取り付けられ、両方の持ち手を結合した状態が保持される構造を有するものである。
【０００３】
その結合を保持する具体的構造としては、一方の持ち手の内側面に設けられた凸部と、他方の持ち手の内側面に設けられた凹部とが係合すると共に、一方の持ち手に磁石を備え、この磁石によって他方の持ち手に付着させることにより、左右各側の持ち手の結合を維持するようにしたものである。
【特許文献１】実用新案登録第３０９３１６０号公報
【発明の開示】
【発明が解決しようとする課題】
【０００４】
ところが、上記の鞄用把手は、左右各側の連結部材に対して左右各側の各持ち手を回動自在にした構成を有するため、左右各側の持ち手の取付け構造が複雑になると共に、左右各側の持ち手の回動構造に故障が生じるおそれがある。
【０００５】
また、左右各側の持ち手の結合状態を維持する手段として磁石を用いたものであるため、左右各側の持ち手の結合力に限界があり、磁石による結合状態を解除するような強い力が作用した場合、鞄の開口部が開いてしまうという不都合が生じる。
【０００６】
本発明は、上記のような不都合が生じないものであって、鞄の左右各側に別体で設けられた持ち手がワンタッチで合体する構造を有し、鞄の開口部を左右に開く力が作用した場合でも、合体した状態の持ち手が分離しないようにロックすることができ、またワンタッチで合体した持ち手を別体に分離することができるようにした鞄用持ち手を提供することを目的とする。
【課題を解決するための手段】
【０００７】
上記の目的を達成するために、本発明の請求項１に記載された鞄用持ち手は、鞄の開口部の左右各側に別体で設けられた横長形状の第１のハンドルと第２のハンドルにおける各ハンドルの両側にて脚部が形成され、夫々の脚部の下端が鞄の左右各側に固設可能であると共に、前記第１のハンドルの内側面に設けられた内側板の凸部を前記第２のハンドルの内側面に設けられた内側板の嵌合穴に嵌合することによって左右別体の各ハンドルが位置合わせされた状態で合体され、前記第１のハンドルの内側に横長に形成された凹溝に移動片が摺動自在に嵌合され、該移動片の一端がバネで前記凹溝の長手方向に付勢されると共に、前記移動片の他端に形成されたボタンが前記第１のハンドルの端部から前記バネの付勢力に抗して押し込み自在に突出され、さらに前記第１のハンドルの移動片の面内に爪を有する穴部が形成されると共に、前記第２のハンドルの内側板に溝付き凸部が設けられ、前記穴部の爪が前記溝付き凸部の溝に係止されることによって前記第１のハンドルと前記第２のハンドルとの結合状態が維持される一方、前記移動片のボタンをバネの付勢力に抗して押し込むことによって前記穴部の爪が前記溝付き凸部の溝に係止された状態から解除されるようにしたことを特徴とする。
【０００８】
また、本発明の請求項２に記載された鞄用持ち手は、請求項１において、前記第１のハンドルの内側板に設けられた凸部を前記第２のハンドルの内側板に設けられた嵌合穴に嵌合した際の前記第１のハンドルの凸部を外方へ弾発するバネが前記第２のハンドルの内部に設けられたことを特徴とする。
【０００９】
さらに、本発明の請求項３に記載された鞄用持ち手は、請求項１又は２において、前記脚部の下端に帯状の連結部材を挿着することができる挿通穴が形成されたことを特徴とする。
【発明の効果】
【００１０】
本発明の鞄用持ち手は、上記の構成により、夫々別体に分離した第１のハンドルの内側面と第２のハンドルの内側とを対面して合致すると、第１のハンドルの凸部が第２のハンドルの嵌合穴に嵌合されることによって、第１のハンドルの内側面と第２のハンドルの内側面とが位置合わせされた状態で合致される。このとき、第２のハンドルの溝付き凸部の端部が第１のハンドルの爪を押圧することによって、移動片がバネの付勢力に抗して移動し、第２のハンドルの溝付き凸部の溝に第１のハンドルの爪が係止された状態となって、第１のハンドルと第２のハンドルとが結合されたロック状態が維持されることとなる。また、移動片のボタンをバネの付勢力に抗して押し込むことにより、穴部の爪が溝付き凸部の溝に係止された状態から解除される。
【００１１】
従って、第１のハンドルと第２のハンドルとを合致してその結合をロック状態にするには、第１のハンドルの内側面と第２のハンドルの内側面とを合致して押圧するだけでよく、また第１のハンドルと第２のハンドルとの合致状態を解除するには、ボタンを押すだけでよいため、簡単なワンタッチ操作によって第１のハンドルと第２のハンドルとの合体及び解除を行うことが可能となる。
【００１２】
また、本発明において、第２のハンドルの内部にバネが設けられたことによって、第１のハンドルの凸部を第２のハンドルの嵌合穴に嵌合した際の第１のハンドルの凸部を外方へ弾発することができ、上記のようにボタンを押すことによって、第１のハンドルと第２のハンドルとの結合状態が解除されたとき、バネの付勢力が作用して、第１のハンドルと第２のハンドルとが弾発された状態で分離される。
【発明を実施するための最良の形態】
【００１３】
以下、本発明の実施例について図面を参照しながら説明する。
【実施例１】
【００１４】
本実施例の鞄用持ち手１は、図１（ａ）、(ｂ)に示すように、鞄２の開口部３の左右各側２ａ、２ｂに別体で設けられた横長形状の第１のハンドル４と第２のハンドル５とを有し、各ハンドル４、５の両側には脚部６、６…が形成されている。このような第１のハンドル４と第２のハンドル５は、合成樹脂材料等によって形成され、図２(ｃ)又は(ｄ)に示すように外形がほぼ対称形状に形成されると共に、図５に示すように夫々の把持部７、８の断面外形が略半円形を有し、各ハンドル４、５の内側面を合致させた状態で略円形の把持部７、８を形成することとなり、上記のように合体させた把持部７、８が使用者の手で握りやすい形状となる。
【００１５】
また、図３又は図４に示すように、各ハンドル４、５の夫々の脚部６、６…の下端は横長の幅広部９を有し、この幅広部９に帯状の連結部材１０（図１（ａ）、(ｂ)参照）を挿着する挿通穴１１が形成されている。このような構成により、図１（ａ）、(ｂ)に示すように、各ハンドル４、５の夫々の脚部６、６…の幅広部９における挿通穴１１に帯状の連結部材１０を挿入して下方へ折曲し、この連結部材１０を鞄２の開口部３の左右各側２ａ、２ｂに縫着３７又は鋲３８等で固着することにより、夫々の脚部６、６…の下端が鞄２の左右各側２ａ、２ｂに固設されることとなる。ただし、夫々の脚部６、６…を鞄２の開口部３の左右各側２ａ、２ｂに固定する方法は、鞄２の形態によって他の手段を用いるようにしてもよい。
【００１６】
上記の構成において、第１のハンドル４の内側面は、図３（ａ）又は図５に示すように、第１のハンドル４の内側面の面内に内側板１２ａを支持する段差溝１３ａと、この段差溝１３ａの内側に移動片１４を摺動自在に支持する横長の凹溝１５ａと、その中央に中溝１６ａとが形成され、凹溝１５ａの左側端部には移動片１４のボタン１７を挿着するための案内溝１８が形成され、さらに段差溝１３ａの右側端部にはコイルバネ１９の一端を挿着するバネ溝２０が形成されている。
【００１７】
このような構造において、横長の凹溝１５ａは移動片１４の本体部１４ａよりも長手方向にやや長形に形成され、図３(ｂ)に示すように、凹溝１５ａに移動片１４の本体部１４ａを嵌合した状態で、該本体部１４ａを凹溝１５ａの長手方向に沿って小幅だけ移動することが可能とされている。
【００１８】
上記の移動片１４は、図３（ａ）に示すように、長方形状の本体部１４ａと該本体部１４ａの左端から細幅の板形状に延長されてなるボタン１７とから成り、本体部１４ａの右端には上記のコイルバネ１９の他端を係止するバネ係止部２１が設けられている。また、この移動片１４の本体部１４ａの面内には、矩形の穴部２２と該穴部２２の右端に形成された爪２３との組み合わせ構造が左右に離間して２組設けられ、爪２３は、図７（ａ）に示すように、第１のハンドル４の内側面から外側へ突出する形状とされ、また爪２３の先端部には傾斜辺２３ａが形成されている。
【００１９】
このような形状の移動片１４の本体部１４ａが、図３(ｂ)に示すように第１のハンドル４の凹溝１５ａに嵌合されることにより、移動片１４はコイルバネ１９の付勢力によって図示の案内溝１８の方向へ付勢され、通常の状態で、移動片１４のボタン１７は第１のハンドル４の端部からやや突出した状況を呈することとなる。
【００２０】
なお、図７（ａ）に示すように、第１のハンドル４の案内溝１８には段部１８ａが形成され、移動片１４のボタン１７との境界に形成された折曲部１７ａがコイルバネ１９の不勢力によって段部１８ａに当接することにより、移動片１４が案内溝１８方向へ移動する量を規制するように構成されている。
【００２１】
また、図３（ａ）に示すように、第１のハンドル４の内側板１２ａは、第１のハンドル４の段差溝１３ａに嵌合される長方形状を有し（図３(ｃ)参照）、その面内には、上記の移動片１４の左右の穴部２２と爪２３とが形成された位置に対応して、案内穴２４と該案内穴２４の左端に連続して開口した案内凹部２５とが離間して２組形成されると共に、これら２組の案内穴２４と案内凹部２５との形成位置から夫々右方に離間して、２個の角形の凸部２６、２６が外側へ向けて突出形成されている。
【００２２】
この第１のハンドル４の内側板１２ａは、その四方に設けられた貫通穴に挿通されたネジ２７、２７…を上記の段差溝１３ａの四方に形成されたネジ穴２８、２８…に螺入することによって、図３(ｃ)に示すように、内側板１２ａが段差溝１３ａを閉塞すると共に、上記の移動片１４を凹溝１５ａ内に摺動自在に覆う機能を有する。このように内側板１２ａを段差溝１３ａに固定した状態においては、図６に示すように、第１のハンドル４の内側板１２ａに離間した２組の案内穴２４と案内凹部２５とが形成され、案内穴２４に移動片１４の穴部２２が位置を合わせて設けられると共に、案内凹部２５に移動片１４の爪２３が位置を合わせて突出した状況となり、またこれら２組の案内穴２４と案内凹部２５との形成位置から夫々右方に離間して２個の凸部２６、２６が外側に突出形成された状況となる。
【００２３】
一方、第２のハンドル５の内側面は、図４（ａ）又は図５に示すように、該ハンドル５の内側面の面内に内側板１２ｂを支持する段差溝１３ｂと、該段差溝１３ｂの内側に後述する板バネ２９を取り付けるための長尺溝３０と、その中央に板バネ２９の曲げ変形を吸収し得る中溝１６ｂとが形成されてなる構成とされている。上記の長尺溝３０の途中には左右に離間してＴ字形の板バネ２９、２９が設けられ、夫々の板バネ２９の両袖は長尺溝３０の両側にネジ３１、３１で固定され、また板バネ２９の本体部２９ａは図７(ａ)に示すように外側へ向けて屈曲されている。
【００２４】
また、図４（ａ）に示すように、第２のハンドル５の内側板１２ｂは、該第２のハンドル５の内側面を第１のハンドル４の内側面に対面して合致したとき、第１のハンドル４の左右の案内穴２４、２４に夫々嵌合（図７(ｂ)参照）する２個の溝付き凸部３２、３２と、第１のハンドル４の左右の凸部２６、２６を嵌合し得る２個の嵌合穴３４、３４が形成されている。また、第２のハンドル５の上記の２個の溝付き凸部３２、３２に設けられた溝３３、３３は、左方向に向けて穿設された形状とされ（図５参照）、第２のハンドル５の内側面を第１のハンドル４の内側面に対面して合致したとき、第１のハンドル４の左右の爪２３、２３が第２のハンドル５における左右の溝付き凸部３２、３２の溝３３、３３に係止される関係とされている。
【００２５】
この第２のハンドル５の内側板１２ｂは、その四方に設けられた貫通穴に挿通されたネジ３５、３５…を上記の段差溝１３ａの四方に形成されたネジ穴３６、３６…に螺入することによって、図４(ｂ)に示すように、該内側板１２ｂが段差溝１３ａを閉塞し、この閉塞状態で、第２のハンドル５の内側板１２ｂにおける左右の嵌合穴３３、３３の内部に上記の板バネ２９が待機した状態となるものである。
【００２６】
上記のように構成された鞄用持ち手の第１のハンドル４と第２のハンドル５とを合体してロックされた結合状態を維持するには、図７（ａ）に示すように、分離状態の第１のハンドル４と第２のハンドル５の夫々の内側を対面して、図７(ｂ)に示すように合致すると、第１のハンドル４の左右の凸部２６、２６が第２のハンドル５の左右の嵌合穴３４、３４に嵌合されることによって、第１のハンドル４と第２のハンドル５との夫々の内側面が位置合わせされた状態で合致される。
【００２７】
このとき、第２のハンドル５の夫々の溝付き凸部３２、３２の端部が第１のハンドル４の夫々の爪２３の傾斜辺２３ａを押圧することによって、移動片１４がコイルバネ１９の付勢力に抗して案内溝１８の方向へ移動し、第２のハンドル５の夫々の溝付き凸部３２、３２の溝３３、３３に第１のハンドル４の夫々の爪２３が係止された状態となって、第１のハンドル４と第２のハンドル５とが結合された状態が維持されることとなる。
【００２８】
また、上記のように第１のハンドル４と第２のハンドル５とが結合された状態において、移動片１４のボタン１７は第1のハンドル４と第２のハンドル５の端部から外方へ突出した状況にあり、図７(ｃ)に示すように、このボタン１７をコイルバネ１９の付勢力に抗して押し込むことにより、案内穴２４の爪２３が溝付き凸部３２、３２の溝３３、３３に係止された状態から開放されると同時に、第２のハンドル５の内部に設けられた板バネ２９、２９が第１のハンドル４の左右の凸部２６、２６を外方へ弾発することにより、第１のハンドル４を第２のハンドル５から付勢状態で分離することとなる。
【産業上の利用可能性】
【００２９】
本発明の鞄用持ち手は、鞄の左右各側に別体で設けられた持ち手がワンタッチで合体する構造を有し、鞄の開口部を左右に開く力が作用した場合でも、合体した状態の持ち手が分離しないようにロックすることができ、またワンタッチで合体した持ち手を別体に分離することができるようにした鞄用持ち手として利用可能である。
【図面の簡単な説明】
【００３０】
【図１】本発明の実施例における鞄用持ち手の第１のハンドルと第２のハンドルとを鞄の左右各側に取付けた状況を示す斜視図であり、(ａ)は第１のハンドルと第２のハンドルとを合致して結合した状態を示し、(ｂ)は第１のハンドルと第２のハンドルとを分離した状態を示す。
【図２】(ａ)は本発明の実施例における鞄用持ち手の側面図であり、(ｂ)はその正面図であり、(ｃ)はその上面図であり、(ｄ)は第１のハンドルと第２のハンドルとを分離した状況を示す上面図である。
【図３】(ａ)は本発明の実施例における第１のハンドルの分解状況を示す内側面図であり、(ｂ)は移動板を取付けた状況を示す内側面図であり、(ｃ)は内側板を取付けた状況を示す内側面図である。
【図４】(ａ)は本発明の実施例における第２のハンドルの分解状況を示す内側面図であり、(ｂ)は内側板を取付けた状況を示す内側面図である。
【図５】本発明の実施例における第１のハンドルと第２のハンドルを分離した状況を示す断面図である。
【図６】本発明の実施例における第１のハンドルと第２のハンドルを分離して対比した状況（第２のハンドルは倒立した状況に図示してある）を示す内側面図である。
【図７】（ａ）〜(ｃ)は本発明の実施例における鞄用持ち手の結合又は分離状況を示す断面図である。
【符号の説明】
【００３１】
１  鞄用持ち手
２  鞄
２ａ、２ｂ  左右各側
３  開口部
４  第１のハンドル
５  第２のハンドル
６  脚部
７、８  把持部
９  幅広部
１０  連結部材
１１  挿通穴
１２ａ  第１のハンドルの内側板
１２ｂ  第２のハンドルの内側板
１３ａ  第１のハンドルの段差溝
１３ｂ  第２のハンドルの段差溝
１４  移動片
１４ａ  本体部
１５ａ  第１のハンドルの凹溝
１６ａ  第１のハンドルの中溝
１６ｂ  第２のハンドルの中溝
１７  ボタン
１７ａ  屈曲部
１８  案内溝
１８ａ  段差
１９  コイルバネ
２０  バネ溝
２１  バネ係止部
２２  穴部
２３  爪
２３ａ  傾斜辺
２４  案内穴
２５  案内凹部
２６  凸部
２７  ネジ
２８  ネジ穴
２９  板バネ
２９ａ  本体部
３０  長尺溝
３１  ネジ
３２  溝付き凸部
３３  溝
３４  嵌合穴
３５  ネジ
３６  ネジ穴
３７  縫製
３８  鋲
【図１】
2008142117.tif 000003
【図２】
2008142117.tif 000004
【図３】
2008142117.tif 000005
【図４】
2008142117.tif 000006
【図５】
2008142117.tif 000007
【図６】
2008142117.tif 000008
【図７】
2008142117.tif 000009